(57)【要約】【課題】水槽内に位置する飲料冷却管から注出機へ流出する飲料或いは飲料供給源より飲料冷却管へ供給する飲料を、水槽の開口部近傍に位置する給水ポンプから水槽内の冷却水を送出して冷却するにあたり、冷却水送出のためにその給水ポンプから当該給水ポンプの周りに延在されるホース部位を、水槽内の蒸発管の着氷と接触しないように支持するようにした飲料供給装置を提供する。【解決手段】支持部材１６は、蒸発管２０の直上にて、水槽１０内方へＬ字状に延出する腕部１６ｂでもって、送出用内側ホース５１の中間部位を下方から支持している。【選択図】    図２
2005008151.tif 000002
【特許請求の範囲】
【請求項１】
注出機と、冷却水を収容する水槽と、この水槽内に蒸発管を有し、この蒸発管によりその表面に氷を着氷させるように前記冷却水を冷却する冷凍回路と、前記水槽内に設けられて内部に流入する飲料を前記冷却水に基づき冷却する飲料冷却管と、前記水槽の開口部に設けた支持板にその下側にて支持される給水ポンプとを備え、
前記注出機は、前記飲料冷却管から飲料供給ホースを通して飲料を供給され、
前記給水ポンプは、その吐出口にて、前記飲料供給ホースに沿う送出用ホース内の流入端部に接続されて、冷却水を吐出して、前記送出用ホースに圧送し、当該送出用ホースは、その前記給水ポンプ吐出口側ホース部位にて、前記給水ポンプの周囲の少なくとも一部を取り巻くように延在するようにした飲料供給装置において、
前記蒸発管の上方にて前記水槽の内周面の一部から内方へ延出されて前記給水ポンプ吐出口側ホース部位を支持する支持部材を備えることを特徴とする飲料供給装置。
【請求項２】
注出機と、冷却水を収容する水槽と、この水槽内に蒸発管を有し、この蒸発管によりその表面に氷を着氷させるように前記冷却水を冷却する冷凍回路と、前記水槽内にて保持具により保持されて内部に流入する飲料を前記冷却水に基づき冷却する飲料冷却管と、前記水槽の開口部に設けた支持板にその下側にて支持される給水ポンプとを備え、
前記注出機は、前記飲料冷却管から飲料供給ホースを通して飲料を供給され、
前記給水ポンプは、その吐出口にて、前記飲料供給ホースに沿う送出用ホース内の流入端部に接続されて、冷却水を吐出して、前記送出用ホースに圧送し、当該送出用ホースは、その前記給水ポンプ吐出口側ホース部位にて、前記給水ポンプの周囲の少なくとも一部を取り巻くように延在するようにした飲料供給装置において、
前記給水ポンプ吐出口側ホース部位は、前記保持具によって支持されていることを特徴とする飲料供給装置。
【請求項３】
飲料供給源と、冷却水を収容する水槽と、この水槽内に蒸発管を有し、この蒸発管によりその表面に氷を着氷させるように前記冷却水を冷却する冷凍回路と、前記水槽内に設けられて内部に流入する飲料を前記冷却水に基づき冷却する飲料冷却管と、前記水槽の開口部に設けた支持板にその下側にて支持される給水ポンプとを備え、
前記飲料供給源は、飲料を飲料圧送ホースを通して前記飲料冷却管へ供給し、
前記給水ポンプは、その吐出口にて、前記飲料圧送ホースに沿う送出用ホース内の流入端部に接続されて、冷却水を吐出して、前記送出用ホースに圧送し、当該送出用ホースは、その前記給水ポンプ吐出口側ホース部位にて、前記給水ポンプの周囲の少なくとも一部を取り巻くように延在するようにした飲料供給装置において、
前記蒸発管の上方にて前記水槽の内周面の一部から内方へ延出されて前記給水ポンプ吐出口側ホース部位を支持する支持部材を備えることを特徴とする飲料供給装置。
【請求項４】
飲料供給源と、冷却水を収容する水槽と、この水槽内に蒸発管を有し、この蒸発管によりその表面に氷を着氷させるように前記冷却水を冷却する冷凍回路と、前記水槽内にて保持具により保持されて内部に流入する飲料を前記冷却水に基づき冷却する飲料冷却管と、前記水槽の開口部に設けた支持板にその下側にて支持される給水ポンプとを備え、
前記飲料供給源は、飲料を飲料圧送ホースを通して前記飲料冷却管へ供給し、
前記給水ポンプは、その吐出口にて、前記飲料圧送ホースに沿う送出用ホース内の流入端部に接続されて、冷却水を吐出して、前記送出用ホースに圧送し、当該送出用ホースは、その前記給水ポンプ吐出口側ホース部位にて、前記給水ポンプの周囲の少なくとも一部を取り巻くように延在するようにした飲料供給装置において、
前記給水ポンプ吐出口側ホース部位は、前記保持具によって支持されていることを特徴とする飲料供給装置。
【発明の詳細な説明】
【０００１】
【発明の属する技術分野】
本発明は、ビール等の飲料を供給する飲料供給装置に関する。
【０００２】
【従来の技術】
従来、この種の飲料供給装置としては、下記特許文献１に開示されたものがある。当該飲料供給装置において、コイル状の蒸発管は、水槽内に配設されている。また、コイル状の飲料冷却管は、水槽内にて蒸発管の内側に配設されている。
【０００３】
しかして、水槽内の冷却水は、蒸発管によりその内部の冷媒でもって冷却され、飲料タンクから飲料供給パイプを通り飲料冷却管内に流入した飲料は、当該冷却水により冷却される。ここで、上述のように冷却される冷却水の一部は、蒸発管の周囲に氷として着氷し、冷却水の冷却を促進する。
【０００４】
また、当該飲料供給装置においては、ポンプ一体型撹拌機が、水槽の開口部に設けた蓋壁に支持されており、このポンプ一体型撹拌機の給水ポンプは、蓋壁より水槽の開口部から飲料冷却管内に垂下している。
【０００５】
また、水槽内の冷却水は、給水ポンプにより汲み出されて、飲料タンクに接続した飲料供給ホースに沿う冷却水供給ホース内に流入して、飲料供給ホース内の流動飲料を冷やす。これにより、飲料供給ホースが水槽の外側にあっても、飲料タンクからの飲料供給ホース内の流動飲料が外気温により暖められることなく飲料冷却管に流入し得るようにしている。
【０００６】
【特許文献１】
特開２００３−０６３５９６号公報
【０００７】
【発明が解決しようとする課題】
ところで、上記飲料供給装置において、上述した飲料タンクと飲料冷却管及び給水ポンプとの間の接続構成を、例えば、飲料注出機と飲料冷却管及び給水ポンプとの間の接続構成に適用すると、飲料供給ホースの流入口は、飲料冷却管に接続され、当該飲料供給ホースの流出口は、注出機に接続される。また、冷却水供給ホースの流入口は、給水ポンプに接続され、当該冷却水供給ホースは、注出機まで飲料供給ホースに沿わせて配設される。従って、冷却水は、給水ポンプにより、冷却水供給ホースに圧送され、飲料供給ホースを流れる飲料を冷却する。
【０００８】
このような飲料供給装置の構成では、冷却水供給ホースが、蒸発管の外面に着氷する氷に接触すると、冷却水供給ホースを流れる冷却水が凍結してしまい、冷却循環が滞る結果、装置本体から注出機へ供給する際の飲料が冷えなくなる不具合を生じる。
【０００９】
そこで、本発明は、以上のようなことに対処するため、水槽内に位置する飲料冷却管から注出機へ流出する飲料或いは飲料供給源より飲料冷却管へ供給する飲料を、水槽の開口部近傍に位置する給水ポンプから水槽内の冷却水を送出して冷却するにあたり、冷却水送出のためにその給水ポンプから当該給水ポンプの周りに延在されるホース部位を、水槽内の蒸発管の着氷と接触しないように支持するようにした飲料供給装置を提供することを目的とする。
【００１０】
【課題を解決するための手段】
上記課題の解決にあたり、本発明に係る飲料供給装置は、請求項１の記載によれば、注出機（Ｐ）と、冷却水を収容する水槽（１０）と、この水槽内に蒸発管（２０）を有し、この蒸発管によりその表面に氷を着氷させるように冷却水を冷却する冷凍回路と、水槽内に設けられて内部に流入する飲料を冷却水に基づき冷却する飲料冷却管（３１、３２）と、水槽の開口部に設けた支持板（１５）にその下側にて支持される給水ポンプ（４４）とを備える。
【００１１】
そして、注出機は、飲料冷却管から飲料供給ホース（３３、３４）を通して飲料を供給され、給水ポンプは、その吐出口（４４ａ）にて、飲料供給ホースに沿う送出用ホース（５１、５２）内の流入端部に接続されて、冷却水を吐出して、送出用ホースに圧送し、当該送出用ホースは、その給水ポンプの吐出口側ホース部位にて、給水ポンプの周囲の少なくとも一部を取り巻くように延在する。
【００１２】
当該飲料供給装置において、蒸発管の上方にて水槽の内周面の一部から内方へ延出されて給水ポンプ吐出口側ホース部位を支持する支持部材（１６）を備えることを特徴とする。
【００１３】
このように、給水ポンプ吐出口側ホース部位を支持部材にて支持することにより、送出用ホースの給水ポンプ吐出口側ホース部位は、蒸発管の外面に着氷した氷に接触することがない。従って、当該送出用ホースのうち少なくとも給水用ポンプ吐出口側ホース部位内の冷却水が凍結することも無く、円滑に冷却水を循環し得る。
【００１４】
また、本発明に係る飲料供給装置は、請求項２の記載によれば、注出機と、冷却水を収容する水槽と、この水槽内に蒸発管を有し、この蒸発管によりその表面に氷を着氷させるように冷却水を冷却する冷凍回路と、水槽内にて保持具（１２、１３、１４）により保持されて内部に流入する飲料を冷却水に基づき冷却する飲料冷却管と、水槽の開口部に設けた支持板にその下側にて支持される給水ポンプとを備える。
【００１５】
そして、注出機は、飲料冷却管から飲料供給ホースを通して飲料を供給され、給水ポンプは、その吐出口にて、飲料供給ホースに沿う送出用ホース内の流入端部に接続されて、冷却水を吐出して、送出用ホースに圧送し、当該送出用ホースは、その給水ポンプ吐出口側ホース部位にて、給水ポンプの周囲の少なくとも一部を取り巻くように延在する。
【００１６】
当該飲料供給装置において、給水ポンプ吐出口側ホース部位は、保持具によって支持されていることを特徴とする。
【００１７】
このように、保持具で給水ポンプ吐出口側ホース部位を受けるようにしても、請求項１に記載の発明と同様の作用効果を達成し得る。
【００１８】
また、本発明に係る飲料供給装置は、請求項３の記載によれば、飲料供給源と、冷却水を収容する水槽と、この水槽内に蒸発管を有し、この蒸発管によりその表面に氷を着氷させるように冷却水を冷却する冷凍回路と、水槽内に設けられて内部に流入する飲料を冷却水に基づき冷却する飲料冷却管と、水槽の開口部に設けた支持板にその下側にて支持される給水ポンプとを備える。
【００１９】
そして、飲料供給源は、飲料を飲料圧送ホースを通して飲料冷却管へ供給し、給水ポンプは、その吐出口にて、飲料圧送ホースに沿う送出用ホース内の流入端部に接続されて、冷却水を吐出して、送出用ホースに圧送し、当該送出用ホースは、その給水ポンプ吐出口側ホース部位にて、給水ポンプの周囲の少なくとも一部を取り巻くように延在する。
【００２０】
当該飲料供給装置において、蒸発管の上方にて水槽の内周面の一部から内方へ延出されて給水ポンプ吐出口側ホース部位を支持する支持部材を備えることを特徴とする。
【００２１】
このように、給水ポンプで汲み出した水槽内の冷却水でもって、飲料供給源と飲料冷却管との間の飲料圧送ホース内の飲料を冷却する場合にも、請求項１に記載の発明と同様の作用効果を達成し得る。
【００２２】
また、本発明に係る飲料供給装置は、請求項４の記載によれば、飲料供給源と、冷却水を収容する水槽と、この水槽内に蒸発管を有し、この蒸発管によりその表面に氷を着氷させるように冷却水を冷却する冷凍回路と、水槽内にて保持具により保持されて内部に流入する飲料を冷却水に基づき冷却する飲料冷却管と、水槽の開口部に設けた支持板にその下側にて支持される給水ポンプとを備える。
【００２３】
そして、飲料供給源は、飲料を飲料圧送ホースを通して飲料冷却管へ供給し、給水ポンプは、その吐出口にて、飲料圧送ホースに沿う送出用ホース内の流入端部に接続されて、冷却水を吐出して、送出用ホースに圧送し、当該送出用ホースは、その給水ポンプ吐出口側ホース部位にて、給水ポンプの周囲の少なくとも一部を取り巻くように延在する。
【００２４】
当該飲料供給装置において、給水ポンプ吐出口側ホース部位は、当該保持具によって支持されていることを特徴とする。
【００２５】
このように、給水ポンプで汲み出した水槽内の冷却水でもって、飲料供給源と飲料冷却管との間の飲料圧送ホース内の飲料を冷却する場合にも、請求項２に記載の発明と同様の作用効果を達成し得る。
【００２６】
なお、上記各手段の括弧内の符号は、後述する実施形態に記載の具体的手段との対応関係を示すものである。
【００２７】
【発明の実施の形態】
以下、本発明の一実施形態を図面に基づいて説明する。この飲料供給装置は、図１にて示すごとく、装置本体Ｂと、ガスボンベＧと、飲料容器Ｔと、注出機Ｐとにより構成されている。
【００２８】
装置本体Ｂは、図１にて示すごとく、下側ハウジングＢ１と、この下側ハウジングＢ１上に載置固定した上側ハウジングＢ２とを備えている。
【００２９】
また、装置本体Ｂは、図２にて示すごとく、水槽１０と、コイル状の蒸発管２０と、飲料供給回路３０と、ポンプ一体型撹拌装置４０（以下、撹拌装置４０という）と、冷却案内回路５０とを備えている。水槽１０は、上側ハウジングＢ２内に設置されており、この水槽１０は、冷却水を蓄えている。
【００３０】
蒸発管２０は、冷凍回路（図示しない）の一構成部品であり、この蒸発管２０は、水槽１０内中央に立設されて、当該水槽１０内の冷却水を冷却する。なお、上記冷凍回路は、蒸発管２０を除き、下側ハウジングＢ１内に収容されており、この冷凍回路は、冷媒を循環させて、蒸発管２０に冷却機能を発揮させる。
【００３１】
また、図３において、符号１１は、着氷センサを示す。
【００３２】
飲料供給回路３０は、図２にて示すごとく、一対のコイル状の飲料冷却管３１、３２と、一対の飲料供給ホース３３、３４とを備えている。飲料冷却管３２は、飲料冷却管３１の内側に同軸状に支持されている。両飲料冷却管３１、３２は、図２及び図３にて示すごとく、水槽１０内にて、蒸発管２０の内側に蒸発管２０と同軸的に立設するように、主保持具１２、１３と、副保持具１４によって、水槽１０に支持されている。
【００３３】
主保持具１２は、図３にて示すごとく、一対の扁平な四角環状の両保持部１２ａ、１２ｂを備えている。これら両保持部１２ａ、１２ｂは、その各上端からＬ字状に延出する各腕部１２ｃ、１２ｄにより、蒸発管２０の直上で、水槽１０の内周面の一部に支持されており、当該両保持部１２ａ、１２ｂ内には、飲料冷却管３１、３２がそれぞれ挟持されている。また、これら両保持部１２ａ、１２ｂは、その各下端部から下方へ延出する各脚部１２ｅ、１２ｆにより、水槽１０の底壁上に設けられている。また、主保持具１２は、図４にて示すごとく、着氷センサ１１の図示左側に隣接して位置する。
【００３４】
主保持具１３は、図３にて示すごとく、一対の扁平な四角環状の両保持部１３ａ、１３ｂを備えている。これら両保持部１３ａ、１３ｂは、その各上端からＬ字状に延出する各腕部１３ｃ、１３ｄにより、蒸発管２０の直上で、水槽１０の内周面の一部に支持されており、当該両保持部１３ａ、１３ｂ内には、飲料冷却管３１、３２がそれぞれ狭持されている。また、これら両保持部１３ａ、１３ｂは、その各下端部から下方へ延出する各脚部１３ｅ、１３ｆにより、水槽１０の底壁上に設けられている。
【００３５】
また、主保持具１３は、図４にて示すごとく、給水ポンプ４４を介し主保持具１２に対向するように水槽１０に支持されている。
【００３６】
副保持具１４は、図２にて示すごとく、一対の扁平な四角環状の両保持部１４ａ、１４ｂを備えている。これら両保持部１４ａ、１４ｂは、その各下端部から下方へ延出する各脚部１４ｃ、１４ｄにより、水槽１０の底壁上に設けられており、これら両保持部１４ａ、１４ｂ内には、飲料冷却管３１、３２がそれぞれ挟持されている。なお、副保持具１４は、図４にて示すごとく、給水ポンプ４４を中心として、主保持具１２に対して９０°ずれた位置で飲料冷却管３１、３２を保持するもので、この副保持具１４は、両主保持具１２、１３と飲料冷却管３１、３２の周方向にて連結されて、飲料冷却管３１、３２の保持を強化している。
【００３７】
飲料供給ホース３３は、その流入口にて飲料冷却管３１に接続されており、当該飲料供給ホース３３の流出口は、断熱ホース６１を通じて、注出機Ｐに接続されている。また、飲料供給ホース３４は、その流入口にて飲料冷却管３２に接続されており、当該飲料供給ホース３４の流出口は、飲料供給ホース３３と同様に、断熱ホース６１を通じて、注出機Ｐに接続されている。
【００３８】
撹拌装置４０は、図２にて示すごとく、モータ４１と、シャフト４２と、プロペラ４３、給水ポンプ４４とを有する。モータ４１は、水槽１０の開口部に設けた支持板１５上に固定されている。モータ４１は、そのシャフト４２にて支持板１５の貫通穴（図示しない）を通り、水槽１０中央に向けて延出している。プロペラ４３は、シャフト４２の先端部に同軸的に支持されて、水槽１０内の冷却水を下方へ向けて撹拌する。
【００３９】
給水ポンプ４４内には、ポンプ用プロペラ（図示しない）がシャフト４２の中間部位に同軸的に支持されて収容されている。これにより、撹拌装置４０は、上記ポンプの作動によって、給水ポンプ４４周辺の冷却水を汲み上げ、吐出口４４ａ（以下、ポンプ吐出口４４ａという）から送出用内側ホース５１へ圧送する。
【００４０】
冷却案内回路５０は、図２にて示すごとく、送出用内側ホース５１と、送出用外側ホース５２と、戻り用外側ホース５３と、内側戻し管５４とを備えている。送出用内側ホース５１は、図４にて示すごとく、その流入口にてポンプ吐出口４４ａに接続され、また、その流出口にて、送出用外側ホース５２の流入口に接続されている。
【００４１】
ここで、当該送出用内側ホース５１は、ポンプ吐出口４４ａから送出用外側ホース５２の流入口にかけて、給水ポンプ４４のほぼ全周を取り巻くように延出されて、ホース長さに裕度をもたせているようにしている。このように裕度をもたせるのは、装置本体Ｂの組立及び保守メンテナンスの作業を容易にするためである。なお、当該送出用内側ホース５１は、樹脂ホースでできている。
【００４２】
また、当該送出用内側ホース５１は、図３にて示すごとく、その中間部位にて、蒸発管２０の上端部に着氷した氷に接触しないように、主保持具１３の腕部１３ｃ、１３ｄで下方から支持されている。
【００４３】
また、支持部材１６は、図２にて示すごとく、Ｌ字状の帯状支持板からなるもので、この支持部材１６は、その基部１６ａにて水槽１０の内周壁の一部に鉛直状に設置されている。当該支持部材１６は、図２にて示すごとく、蒸発管２０の直上にて、基部１６ａの下端から水槽１０内方へＬ字状に延出する腕部１６ｂでもって、送出用内側ホース５１の他の中間部位を下方から支持している。
【００４４】
ただし、図４にて示すごとく、支持部材１６は、ポンプ吐出口４４ａから給水ポンプ４４を中心として、周方向へ９０°程度ずれた位置にあり、主保持具１３は、当該支持部材１６から、同じく給水ポンプ４４を中心として、周方向へポンプ吐出口４４ａから遠くなる方向に９０°ずれた位置にある。
【００４５】
送出用外側ホース５２は、図２にて示すごとく、飲料供給ホース３３、３４に沿うように配置されている。戻り用外側ホース５３は、送出用外側ホース５２から注出機Ｐに送られた冷却水を水槽１０に戻すためのもので、当該戻り用外側ホース５３は、その流出口にて内側戻し管５４の流入口に接続されている。内側戻し管５４は、その流入口にて、水槽１０内の冷却水に浸入して、飲料冷却管３１、３２の直上にて開口している。なお、送出用外側ホース５２及び戻り用外側ホース５３は、図２にて示すごとく、飲料供給ホース３３、３４とともに、断熱ホース６１によってお互いが密着するように被覆されている。
【００４６】
飲料容器Ｔは、ガスボンベＧから高圧ガスを受けて、このガスにより、飲料を装置本体Ｂへ圧送する。注出機Ｐは、図１にて示すごとく、装置本体Ｂから送られてくる飲料を注出する。
【００４７】
このように構成した本実施形態において、飲料供給装置を作動状態におけば、蒸発管２０は、上記冷凍回路により循環される冷媒により、水槽１０内の冷却水を冷却する。この冷却に伴い、蒸発管２０の外面には、氷が着氷していく（図２及び図３にて図示二点鎖線参照）。この氷は、水槽１０内の冷却水の冷却を促進する役割を果たす。蒸発管２０の表面の氷の厚さは、着氷センサ１１にて検出され、冷凍回路の制御により調整される。
【００４８】
また、撹拌装置４０においては、プロペラ４３がモータ４１により駆動されて水槽１０内の冷却水を下方に向けて撹拌する。これに伴い、水槽１０内においては、冷却水が、コイル状の飲料冷却管３１、３２を通り蒸発管２０の内周側へ流動し、さらに当該蒸発管２０の内周面に沿い上方へ流動する。これにより、冷却水は、コイル状の飲料冷却管３１、３２の軸方向周りに循環するように撹拌される。
【００４９】
また、飲料容器Ｔが、ガスボンベＧからの高圧ガスを受けて、飲料を飲料冷却管３１、３２内に供給すると、この飲料は、上述のように冷却される冷却水及び氷により飲料冷却管３１、３２を介して冷却される。このように冷却される飲料は、飲料供給ホース３３、３４を通り、注出機Ｐ内に供給される。
【００５０】
また、撹拌装置４０は、給水ポンプ４４により、水槽１０内の冷却水をくみ上げて、送出用内側ホース５１を通り、送出用外側ホース５２内に圧送する。このように圧送された冷却水は、戻り用外側ホース５３を介し、内側戻し管５４を通して水槽１０内に戻る。このような過程において、飲料供給ホース３３、３４内の飲料は、送出用外側ホース５２及び戻り用外側ホース５３内を流れる冷却水により冷やされる。このため、注出機Ｐから飲料が注出されても、この飲料は、適温に維持される。
【００５１】
ところで、上述したように、送出用内側ホース５１は、支持部材１６及び主保持具１３の各腕部により、蒸発管２０の直上で下方から支えられているので、この送出用内側ホース５１が蒸発管２０に着氷する氷に接触することがなく、当該送出用内側ホース５１を流れる冷却水の凍結を確実に防止しうる。従って、冷却水の循環が滞るという事態が生じることはない。その結果、上述したように、飲料供給ホース３３、３４内の飲料は、送出用外側ホース５２及び戻り用外側ホース５３内を流れる冷却水により確実に冷却される。
【００５２】
なお、本発明の実施にあたり、上記実施形態に限ることなく、次のような種々の変形例が挙げられる。
（１）冷却水送出ホース５１、５２は、飲料冷却管３１、３２から注出機Ｐまで送出される飲料を冷却することに限ることなく、飲料容器Ｔから飲料冷却管３１、３２へ飲料を圧送する際の飲料の冷却に適用してもよい。また、注出機Ｐを装置本体Ｂに一体に備えた飲料冷却装置において、飲料容器Ｔから飲料冷却管３１、３２へ飲料を圧送する際の飲料の冷却に適用してもよい。
（２）飲料冷却管３１、３２は、２本に限ることなく、例えば、１本を廃止してもよく、さらにもう１本追加してもよい。
（３）送出用内側ホース５１は、支持部材１６及び主保持具１３の双方にて支持することに限らず、支持部材１６、主保持具１３、主保持具１２、支持部材１６及び主保持具１２の双方、主保持具１２及び主保持具１３の双方、或いは、支持部材１６、主保持具１２及び主保持具１３の全てにより、当該送出用内側ホース５１を下方から支持するようにしてもよい。
【００５３】
また、支持部材１６、主保持具１２及び主保持具１３の各腕部の下面にフックを設けて、これらのフック内に当該送出用内側ホース５１を支持するようにしてもよい。
（４）支持部材１６の基部１６ａは、廃止してもよい。
【図面の簡単な説明】
【図１】本発明に係る飲料供給装置の一実施形態を示す概略構成図である。
【図２】図１の装置本体の部分破断側面図である。
【図３】図１の装置本体の部分破断正面図である。
【図４】図１の装置本体の内部を上方から見た図である。
【符号の説明】
Ｐ…注出機、１０…水槽、１２…主保持具、１３…主保持具、１４…副保持具、１５…支持板、１６…支持部材、２０…蒸発管、３１…飲料冷却管、３２…飲料冷却管、３３…飲料供給ホース、３４…飲料供給ホース、４０…ポンプ一体型撹拌機、４４…給水ポンプ、４４ａ…吐出口、５１…送出用内側ホース、５２…送出用外側ホース。
【図１】
2005008151.tif 000003
【図２】
2005008151.tif 000004
【図３】
2005008151.tif 000005
【図４】
2005008151.tif 000006